(57)【要約】【課題】静止画を撮影する時に被写体が発声する音声が途切れないように、シャッタタイミングの前後の所定時間分の音声を記録できるディジタルカメラを提供すること。【解決手段】本発明のディジタルカメラ１００は、一時記憶部１０７、記録制御部１０８及び記録媒体１０４を備えている。ディジタルカメラ１００が静止画を撮影する時に、一時記憶部１０７がシャッタ半押しなどの操作によりシャッタタイミング以前から入力された音声データを一時的に記憶する。記録制御部１０８がシャッタ全押しの操作により一時記憶部１０７に一時的に記憶された音声データの中からシャッタタイミングの前後の所定時間の部分を取り出して記録媒体１０４に記録する。【選択図】      図１
2004328126.tif 000002
【特許請求の範囲】
【請求項１】
被写体の静止画を撮影する時に静止画撮影モード設定手段により静止画撮影モードに設定された時点から入力される音声データを一時的に記憶する一時記憶手段と、前記一時記憶手段により一時的に記憶された前記音声データからシャッタタイミングの前後の所定時間の部分を取り出して記録媒体に記録する記録制御手段と、を具備することを特徴とするディジタルカメラ。
【請求項２】
被写体の静止画を撮影する時に静止画撮影モード設定手段により静止画撮影モードに設定された時点から音を受けて音声信号を生成する音声入力手段と、前記音声入力手段からの前記音声信号を変換してディジタル音声信号を生成するＡ／Ｄ変換手段と、前記Ａ／Ｄ変換手段からの前記ディジタル音声信号を音声符号化して音声データを生成する符号化手段と、前記符号化手段からの前記音声データを一時的に記憶する一時記憶手段と、前記一時記憶手段により一時的に記憶された前記音声データからシャッタタイミングの前後の所定時間の部分を取り出して記録媒体に記録する記録制御手段と、を具備することを特徴とするディジタルカメラ。
【請求項３】
被写体の静止画を撮影する時に静止画撮影モード設定手段により静止画撮影モードに設定された時点から音を受けて音声信号を生成する音声入力手段と、前記音声入力手段からの前記音声信号を変換してディジタル音声信号を生成するＡ／Ｄ変換手段と、前記Ａ／Ｄ変換手段からの前記ディジタル音声信号を圧縮率の低い符号化方式により音声符号化して音声データを生成する低圧縮率符号化手段と、前記低圧縮率符号化手段からの前記音声データを一時的に記憶する一時記憶手段と、前記一時記憶手段により一時的に記憶された前記音声データからシャッタタイミングの前後の所定時間の部分を取り出して復号化して復号化ディジタル音声信号を生成する復号化手段と、前記復号化手段からの前記復号化ディジタル音声信号を圧縮率の高い符号化方式で音声符号化して符号化音声データを生成する高圧縮率符号化手段と、前記高圧縮率符号化手段からの前記符号化音声データを記録媒体に記録する記録制御手段と、を具備することを特徴とするディジタルカメラ。
【請求項４】
前記一時記憶手段は、前記音声データを一時的に記憶する一時記憶部を有し、前記一時記憶部に記憶された前記音声データが所定量を超える時に前記一時記憶部に記憶された前記音声データの古い部分から順次に消去することを特徴とする請求項１から請求項３のいずれかに記載のディジタルカメラ。
【請求項５】
前記静止画撮影モード設定手段は、シャッタボタンを半押しモードにする半押しモード設定手段で構成されている請求項１から請求項４のいずれかに記載のディジタルカメラ。
【請求項６】
前記静止画撮影モード設定手段は、電源スイッチで構成されている請求項１から請求項４のいずれかに記載のディジタルカメラ。
【請求項７】
前記静止画撮影モード設定手段は、静止画撮影モード設定ボタンで構成されている請求項１から請求項４のいずれかに記載のディジタルカメラ。
【請求項８】
前記ディジタルカメラは、前記シャッタタイミングの前後の所定時間の部分を設定するための設定値を入力する操作部を有し、前記記録制御手段は、前記操作部で設定された前記設定値に基づいて前記音声データを前記一時記憶部から読み出して記録媒体に記録することを特徴とする請求項１から請求項７のいずれかに記載のディジタルカメラ。
【請求項９】
請求項１から請求項８のいずれかに記載のディジタルカメラを具備することを特徴とする携帯電話機。
【請求項１０】
請求項１から請求項８のいずれかに記載のディジタルカメラを具備することを特徴とする携帯端末機。
【発明の詳細な説明】
【０００１】
【発明の属する技術分野】
本発明は、被写体の静止画を撮影する時に音も録音できるディジタルカメラに関する。
【０００２】
【従来の技術】
従来、ディジタルカメラとしては、特許文献１に記載されているものがある。
【０００３】
図９は、従来のディジタルカメラの構成を示すブロック図である。図９に示すように、ディジタルカメラ１０は、レンズ１１、ＣＣＤ１２、駆動系１３、Ａ／Ｄ変換器１４、帯域圧縮回路１５、マイクロフォン１６、Ａ／Ｄ変換器１７、ディジタル音声回路１８、メモリカードコントロール回路１９、ＣＰＵ２０およびシャッタ２１を備えている。また、ディジタルカメラ１０は、メモリカード２２が着脱可能に装着されるようになっている。
【０００４】
レンズ１１は、被写体の画像光をＣＣＤ１２の上に結像するためのものである。ＣＣＤ１２は画像光を画像信号に変換する。駆動系１３は、ＣＰＵ２０からの信号に基づいてＣＣＤ１２を駆動する。Ａ／Ｄ変換器１４は、画像信号をディジタル画像信号に変換する。帯域圧縮回路１５は、ディジタル画像信号を帯域圧縮して画像データに変換する。マイクロフォン１６は、音を入力して電気信号に変換する。Ａ／Ｄ変換器１７は、音声信号をディジタル音声信号に変換する。ディジタル音声回路１８は、ディジタル音声信号を音声データに変換する。メモリカードコントロール回路１９は、ＣＰＵ２０からの信号に基づいて画像データおよび音声データをメモリカード２２に記録する。ＣＰＵ２０は、シャッタ２１からの信号により内部の制御プログラムに基づいて各部を制御する。
【０００５】
次に、従来のディジタルカメラの全体の動作について図９を用いて説明する。
シャッタ２１が押されると、ＣＣＤ１２がレンズ１１を通して被写体の静止画の画像を受けて画像信号に変換してＡ／Ｄ変換器１４に入力する。Ａ／Ｄ変換器１４は、入力された画像信号をディジタル画像信号に変換して帯域圧縮回路１５に入力する。帯域圧縮回路１５は、入力されたディジタル画像信号を帯域圧縮して画像データに変換しメモリカードコントロール回路１９に入力する。
【０００６】
一方、シャッタタイミングにマイクロフォン１６が、音をとらえて音声信号に変換してＡ／Ｄ変換器１７に入力する。Ａ／Ｄ変換器１７は、入力された音声信号をディジタル音声信号に変換してディジタル音声回路１８に入力する。ディジタル音声回路１８は、入力されたディジタル音声信号を音声データに変換してメモリカードコントロール回路１９に入力する。メモリカードコントロール回路１９は、入力された画像データあるいは音声データの少なくとも一方をＣＰＵ２０の制御信号に基づいてメモリカード２２に記録する。以上のように、従来のディジタルカメラ１０ではシャッタタイミングに画像とともに音をとらえて記録するように構成されている。
【０００７】
【特許文献１】
特開平１０−７５４１５号公報
【０００８】
【発明が解決しようとする課題】
しかしながら、従来のディジタルカメラにおいては、シャッタタイミング以降の音を記録するのみであり、被写体の発声した音声の一部分が途切れる可能性があるため、その場の雰囲気又は臨場感などを伝えるには十分ではないという問題がある。また、従来のディジタルカメラにおいては、音声データを記録媒体に記録する場合には、より長時間の記録を行えるように圧縮率の高い符号化を用いることが望ましいが、一般的には圧縮率の高い符号化は処理が複雑で処理に要する消費電力も多くかかるため、シャッタタイミング以前から長時間において符号化を動作させるようにすると、消費電力が大きくなるなどの問題がある。
【０００９】
本発明は、かかる点に鑑みてなされたものであり、静止画を撮影する時に被写体が発声する音声が途切れないように音声データを記録できるディジタルカメラを提供することを目的とする。また、本発明は、動作に要する消費電力を抑え、かつ、高能率に記録することができるディジタルカメラを提供することを目的とする。
【００１０】
【課題を解決するための手段】
請求項１に記載のディジタルカメラは、被写体の静止画を撮影する時に静止画撮影モード設定手段により静止画撮影モードに設定された時点から入力される音声データを一時的に記憶する一時記憶手段と、前記一時記憶手段により一時的に記憶された前記音声データからシャッタタイミングの前後の所定時間の部分を取り出して記録媒体に記録する記録制御手段と、を具備する構成を採る。
【００１１】
この構成によれば、静止画を撮影する時にシャッタタイミング以前からの音声データを一時的に記憶し、記憶した前記音声データの中からシャッタタイミングの前後の所定時間の部分を取り出して記録媒体に記録するため、被写体の発声した音声の一部分が途切れることを防止することができる。
【００１２】
請求項２に記載のディジタルカメラは、被写体の静止画を撮影する時に静止画撮影モード設定手段により静止画撮影モードに設定された時点から音を受けて音声信号を生成する音声入力手段と、前記音声入力手段からの前記音声信号を変換してディジタル音声信号を生成するＡ／Ｄ変換手段と、前記Ａ／Ｄ変換手段からの前記ディジタル音声信号を音声符号化して音声データを生成する符号化手段と、前記符号化手段からの前記音声データを一時的に記憶する一時記憶手段と、前記一時記憶手段により一時的に記憶された前記音声データからシャッタタイミングの前後の所定時間の部分を取り出して記録媒体に記録する記録制御手段と、を具備する構成を採る。
【００１３】
この構成によれば、静止画を撮影する時にシャッタタイミング以前から音声を入力し、音声信号をＡ／Ｄ変換し、音声データに符号化して一時的に記憶し、記憶した前記音声データの中からシャッタタイミングの前後の所定時間の部分を取り出して記録媒体に記録するため、被写体の発声した音声の一部分が途切れることを防止することができる。
【００１４】
請求項３に記載のディジタルカメラは、被写体の静止画を撮影する時に静止画撮影モード設定手段により静止画撮影モードに設定された時点から音を受けて音声信号を生成する音声入力手段と、前記音声入力手段からの前記音声信号を変換してディジタル音声信号を生成するＡ／Ｄ変換手段と、前記Ａ／Ｄ変換手段からの前記ディジタル音声信号を圧縮率の低い符号化方式により音声符号化して音声データを生成する低圧縮率符号化手段と、前記低圧縮率符号化手段からの前記音声データを一時的に記憶する一時記憶手段と、前記一時記憶手段により一時的に記憶された前記音声データからシャッタタイミングの前後の所定時間の部分を取り出して復号化して復号化ディジタル音声信号を生成する復号化手段と、前記復号化手段からの前記復号化ディジタル音声信号を圧縮率の高い符号化方式で音声符号化して符号化音声データを生成する高圧縮率符号化手段と、前記高圧縮率符号化手段からの前記符号化音声データを記録媒体に記録する記録制御手段と、を具備する構成を採る。
【００１５】
この構成によれば、静止画を撮影する時にシャッタタイミング以前から音声を入力し、音声信号をＡ／Ｄ変換し、音声データに符号化して一時的に記憶し、記憶した前記音声データの中からシャッタタイミングの前後の所定時間の部分を取り出して記録媒体に記録するため、被写体の発声した音声の一部分が途切れることを防止することができる。また、前記ディジタル音声信号を前記音声データに音声符号化する場合において、長時間動作する一時的な記憶のための音声符号化には圧縮率の低い符号化方式を用いることにより符号化処理に要する消費電力を抑え、かつ、記録媒体に記録するための音声符号化には圧縮率の高い符号化方式を用いることにより高能率な記録を行うことができる。
【００１６】
請求項４に記載のディジタルカメラは、請求項１から請求項３のいずれかに記載のディジタルカメラにおいて、前記音声データを一時的に記憶する一時記憶部を有し、前記一時記憶部に記憶された前記音声データが所定量を超える時に前記一時記憶部に記憶された前記音声データの古い部分から順次に消去する前記一時記憶手段を具備する構成を採る。
【００１７】
この構成によれば、請求項１から請求項３のいずれかに記載の発明の効果に加えて、前記一時記憶部の前記音声データが所定量を超えても常に最新の前記音声データが前記一時記憶部に記憶されるため、シャッタタイミングの前後の所定時間の部分を取り出して記録媒体に記録することができる。
【００１８】
請求項５に記載のディジタルカメラは、請求項１から請求項４のいずれかに記載のディジタルカメラにおいて、前記静止画撮影モード設定手段が、シャッタボタンを半押しモードにする半押しモード設定手段で構成される。
【００１９】
この構成によれば、請求項１から請求項４のいずれかに記載の発明の効果に加えて、シャッタの半押し操作で前記音声データを一時的に記憶し始め、シャッタの全押し操作で前記一時記憶部から前記音声データを読み出して記録媒体に記録するため、シャッタ操作のみで一時的な記憶と記録媒体への記録の操作ができる。
【００２０】
請求項６に記載のディジタルカメラは、請求項１から請求項４のいずれかに記載のディジタルカメラにおいて、前記静止画撮影モード設定手段が、電源スイッチで構成される。
【００２１】
この構成によれば、請求項１から請求項４のいずれかに記載の発明の効果に加えて、電源が入った時点から前記音声データを一時的に記憶し始めるため、シャッタの半押し操作が不可能な場合でも前記音声データを一時的に記憶して、シャッタタイミングの前後の所定時間の部分を取り出して記録媒体に記録することができる。
【００２２】
請求項７に記載のディジタルカメラは、請求項１から請求項４のいずれかに記載のディジタルカメラにおいて、前記静止画撮影モード設定手段が、静止画撮影モード設定ボタンで構成される。
【００２３】
この構成によれば、請求項１から請求項４のいずれかに記載の発明の効果に加えて、静止画撮影モード設定ボタンの操作により前記音声データを一時的に記憶し始めるため、他のボタンと共用することがないから、操作が容易になる。
【００２４】
請求項８に記載のディジタルカメラは、請求項１から請求項７のいずれかに記載のディジタルカメラにおいて、前記シャッタタイミングの前後の所定時間の部分を設定するための設定値を入力する操作部を有し、前記記録制御手段は、前記操作部で設定された前記設定値に基づいて前記音声データを前記一時記憶部から読み出して記録媒体に記録する構成を採る。
【００２５】
この構成によれば、請求項１から請求項７のいずれかに記載の発明の効果に加えて、記録媒体へ記録するシャッタタイミングの前後の所定時間の部分をユーザが設定できるため、ユーザの使い方に応じてその場の雰囲気又は臨場感を伝えることができる。
【００２６】
本発明の携帯電話機は、請求項１から請求項８のいずれかに記載のディジタルカメラを具備する構成を採る。
【００２７】
この構成によれば、請求項１から請求項８のいずれかに記載の発明の効果を有する携帯電話機を得ることができる。
【００２８】
本発明の携帯端末機は、請求項１から請求項８のいずれかに記載のディジタルカメラを具備する構成を採る。
【００２９】
この構成によれば、請求項１から請求項８のいずれかに記載の発明の効果を有する携帯端末機を得ることができる。
【００３０】
【発明の実施の形態】
本発明の骨子は、被写体の静止画を撮影する時に撮影モードに設定された時点から入力される音声データを一時的に記憶して、その中からシャッタタイミングの前後の所定時間の部分を取り出して記録媒体に記録することである。
【００３１】
以下、本発明の実施の形態について、図面を参照して詳細に説明する。
【００３２】
（実施の形態１）
図１は、本発明の実施の形態１に係るディジタルカメラの構成を示すブロック図である。
【００３３】
図１に示すように、ディジタルカメラ１００は、操作部１０１、画像入力部１０２、画像処理部１０３、記録媒体１０４、表示部１０５、制御部１０６、一時記憶部１０７及び記録制御部１０８を備えている。操作部１０１は、電源スイッチ１０９、シャッタボタン１１０及びモード設定ボタン１１１等を有し、ユーザが操作する部分である。シャッタボタン１１０は、半押し状態に動作される半押しモードを有する。
【００３４】
画像入力部１０２は、光学レンズとイメージセンサ及びＡ／Ｄ変換器等を有し、被写体の画像光を受けて画像信号を生成し、この画像信号をＡ／Ｄ変換してディジタル画像信号を生成する。画像処理部１０３は、画像入力部１０２からのディジタル画像信号を制御部１０６を介して受けて画像データに符号化する。また、画像処理部１０３は、制御部１０６が記録媒体１０４から読み出した画像データを受けてディジタル画像信号に復号化する。表示部１０５は、画像処理部１０３で復号化されたディジタル画像信号を制御部１０６を介して受けてＤ／Ａ変換して画像信号に戻して表示する。記録媒体１０４は、画像データ及び音声データを記録するものであり、カメラ内部のメモリ装置又は着脱可能なメモリカード等である。
【００３５】
制御部１０６は、操作部１０１からの信号により内部の制御プログラムに基づいて各部の制御を行うものである。制御部１０６は、画像入力部１０２からのディジタル画像信号を画像処理部１０３に与え、画像処理部１０３からの画像データを受けて記録制御部１０８に与える。また、制御部１０６は、記録媒体１０４から画像データを読み出して画像処理部１０３に与え、画像処理部１０３で復号化されたディジタル画像信号を受けて表示部１０５に与える。一時記憶部１０７は、入力された音声データを一時的に記憶する。記録制御部１０８は、一時記憶部１０７からシャッタタイミングの前後の所定時間の部分の音声データを読み出して制御部１０６からの画像データとともに記録媒体１０４に記録する。
【００３６】
次に、本発明の実施の形態１に係るディジタルカメラ１００の音声記録の動作について、図１とともに図２を参照して説明する。図２は実施の形態１に係るディジタルカメラの動作を説明するためのフロー図である。
【００３７】
ステップＳＴ２０１において、シャッタボタン１１０がユーザにより半押しされることにより、半押しモードとなり、被写体が発声した音声が音声データとして一時記憶部１０７に入力される。次にステップＳＴ２０２において、一時記憶部１０７が入力された音声データを一時的に記憶する。次にステップＳＴ２０３において、シャッタボタン１１０が全押しされたか否かを制御部１０６が判断する。
【００３８】
ステップＳＴ２０３において、シャッタボタン１１０が全押しされた時に、ステップＳＴ２０４において、記録制御部１０８が一時記憶部１０７に一時的に記憶された音声データの中からシャッタタイミングの前後の所定時間の部分を読み出し、画像データとともに記録媒体１０４に記録する（ステップＳＴ２０５）。
ここで、シャッタタイミングの前後の所定時間とはディジタルカメラ１００で予め決められた固定の時間またはユーザが予め設定した時間である。
【００３９】
このように、本実施の形態１によれば、被写体の静止画を撮影する時に被写体の音声をシャッタタイミング以前から音声データとして入力して一時的に記憶し、シャッタタイミングの前後の所定時間の部分を取り出して記録媒体に記録することができ、被写体の発声した音声が途切れることを防止し、より正確にその場の雰囲気又は臨場感などを伝えることができる。
【００４０】
（実施の形態２）
次に、本発明の実施の形態２について、図面を参照して説明する。
【００４１】
図３は、本発明の実施の形態２に係るディジタルカメラの構成を示すブロック図である。本発明の実施の形態２においては、実施の形態１と同じ構成要素には同じ参照符号が付されてその説明が省略される。
【００４２】
図３に示すように、ディジタルカメラ３００は、操作部１０１、画像入力部１０２、画像処理部１０３、記録媒体１０４、表示部１０５、記録制御部１０８、音声入力部３０１、音声処理部３０２、一時記憶部３０３、音声出力部３０４及び制御部３０５を備えている。音声入力部３０１は、マイクロフォン及びＡ／Ｄ変換器を有し、音を受けて音声信号を生成し、この音声信号をＡ／Ｄ変換してディジタル音声信号を生成する。音声処理部３０２は、音声入力部３０１で生成されたディジタル音声信号を制御部３０５を介して受けて音声符号化して音声データを生成する。また、音声処理部３０２は、制御部３０５が記録媒体１０４から読み出した音声データを受けて音声復号化してディジタル音声信号を生成する。
【００４３】
一時記憶部３０３は、音声処理部３０２で音声符号化された音声データを制御部３０５を介して受けて一時的に記憶する。音声出力部３０４は、Ｄ／Ａ変換器とスピーカ又はサウンダを有し、音声処理部３０２で音声復号化されたディジタル音声信号を制御部３０５を介して受けてＤ／Ａ変換して音声信号に戻して音を出力する。制御部３０５は、操作部１０１からの信号により内部の制御プログラムに基づいて各部の制御を行うものである。制御部３０５は、実施の形態１の制御部１０６の動作に加えて、音声入力部３０１のディジタル音声信号を音声処理部３０２に与え、音声処理部３０２からの音声データを受けて一時記憶部３０３に与える。また、制御部３０５は、記録媒体１０４から音声データを読み出して音声処理部３０２に与え、音声処理部３０２で復号化されたディジタル音声信号を受けて音声出力部３０４に与える。記録制御部１０８は、一時記憶部３０３からシャッタタイミングの前後の所定時間の部分の音声データを読み出して制御部３０５からの画像データとともに記録媒体１０４に記録する。
【００４４】
次に、本発明の実施の形態２に係るディジタルカメラ３００の音声記録の動作について、図３とともに図４を参照して説明する。図４は実施の形態２に係るディジタルカメラの動作を説明するためのフロー図である。
【００４５】
ステップＳＴ４０１において、シャッタボタン１１０がユーザにより半押しされることにより、半押しモードとなり、被写体の発声した音声が音声入力部３０１に入力される。この時に、音声入力部３０１は、入力された音声から音声信号を生成し、Ａ／Ｄ変換してディジタル音声信号を生成して制御部３０５を介して音声処理部３０２に与える。次にステップＳＴ４０２において、音声処理部３０２がディジタル音声信号を音声符号化して音声データを生成して制御部３０５を介して一時記憶部３０３に与える。ステップＳＴ４０３において、一時記憶部３０３が音声データを一時的に記憶する。
【００４６】
次にステップＳＴ４０４において、シャッタボタン１１０が全押しされたか否かを制御部３０５が判断する。ステップＳＴ４０４においてシャッタボタン１１０が全押しされた時に、ステップＳＴ４０５において、記録制御部１０８が一時記憶部３０３に一時的に記憶された音声データの中からシャッタタイミングの前後の所定時間の部分を読み出し、画像データとともに記録媒体１０４に記録する（ステップＳＴ４０６）。ここで、シャッタタイミングの前後の所定時間とはディジタルカメラ３００で予め決められた固定の時間またはユーザが予め設定した時間である。
【００４７】
このように、本実施の形態２によれば、静止画を撮影する時に被写体の音声をシャッタタイミング以前から音声入力部３０１で受けて、音声データに符号化して一時的に記憶し、シャッタタイミングの前後の所定時間の部分を取り出して記録媒体に記録することができ、被写体の発声した音声が途切れることを防止し、より正確にその場の雰囲気又は臨場感などを伝えることができる。
【００４８】
（実施の形態３）
次に、本発明の実施の形態３について、図面を参照して説明する。
【００４９】
図５は、本発明の実施の形態３に係るディジタルカメラの構成を示すブロック図である。本発明の実施の形態３においては、実施の形態１及び実施の形態２と同じ構成要素には同じ参照符号が付されてその説明が省略される。
【００５０】
図５に示すように、ディジタルカメラ５００は、操作部１０１、画像入力部１０２、画像処理部１０３、記録媒体１０４、表示部１０５、音声入力部３０１、一時記憶部３０３、音声出力部３０４、音声処理部５０１、記録制御部５０２及び制御部５０３を備えている。音声処理部５０１は、低圧縮率符号化部５０１１、復号化部５０１２及び高圧縮率符号化部５０１３を有している。音声処理部５０１の低圧縮率符号化部５０１１は、音声入力部３０１から入力されたディジタル音声信号を制御部５０３を介して受けて低圧縮率の符号化方式により音声符号化して音声データを生成して制御部５０３を介して一時記憶部３０３に入力する。また、音声処理部５０１の復号化部５０１２は、一時記憶部３０３に記憶された音声データを記録制御部５０２と制御部５０３を介して受け取り復号化して復号化ディジタル信号を生成する。さらに、音声処理部５０１の高圧縮率符号化部５０１３は、復号化ディジタル信号を高圧縮率の符号化方式により再符号化して符号化音声データを生成して制御部５０３に与える。
【００５１】
制御部５０３は、操作部１０１からの信号により内部の制御プログラムに基づいて各部の制御を行うものである。制御部５０３は、実施の形態２の制御部３０５の動作に加えて、音声処理部５０１の高圧縮率符号化部５０１３からの符号化音声データを受けて記録制御部５０２に与える。記録制御部５０２は、一時記憶部３０３からシャッタタイミングの前後の所定時間の部分の音声データを読み出して制御部５０３を介して音声処理部５０１の復号化部５０１２に与える。また、記録制御部５０２は、音声処理部５０１の高圧縮率符号化部５０１３で再符号化された符号化音声データ及び画像処理部１０３からの画像データを制御部５０３から受け取って記録媒体１０４に記録する。ここで、シャッタタイミングの前後の所定時間とはディジタルカメラ５００で予め決められた固定の時間またはユーザが予め設定した時間である。
【００５２】
次に、本発明の実施の形態３に係るディジタルカメラ５００の音声記録の動作について、図５とともに図６を参照して説明する。図６は実施の形態３に係るディジタルカメラの動作を説明するためのフロー図である。
【００５３】
ステップＳＴ６０１において、シャッタボタン１１０がユーザにより半押しされることにより、半押しモードとなり、被写体の発声した音声が音声入力部３０１に入力される。この時に、音声入力部３０１は、入力された音声から音声信号を生成しＡ／Ｄ変換してディジタル音声信号を生成して制御部５０３を介して音声処理部５０１の低圧縮率符号化部５０１１に与える。次にステップＳＴ６０２において、音声処理部５０１の低圧縮率符号化部５０１１がディジタル音声信号を低圧縮率の符号化方式により音声符号化して音声データを生成して制御部５０３を介して一時記憶部３０３に与える。ステップＳＴ６０３において、一時記憶部３０３が低圧縮率にて音声符号化された音声データを一時的に記憶する。次にステップＳＴ６０４において、シャッタボタン１１０が全押しされたか否かを制御部５０３が判断する。
【００５４】
ステップＳＴ６０４においてシャッタボタン１１０が全押しされた時に、ステップＳＴ６０５において、記録制御部５０２が一時記憶部３０３に一時的に記憶された音声データの中からシャッタタイミングの前後の所定時間の部分を読み出して制御部５０３を介して音声処理部５０１の復号化部５０１２に与える。ステップＳＴ６０６において、復号化部５０１２が音声データをディジタル音声信号に復号化して復号化ディジタル音声信号を生成して高圧縮率符号化部５０１３に与える。次にステップＳＴ６０７において、高圧縮率符号化部５０１３が復号化ディジタル音声信号を高い圧縮率の符号化方式で音声符号化して符号化音声データを生成して制御部５０３を介して記録制御部５０２に与える。ステップＳＴ６０８において、記録制御部５０２が符号化音声データを画像データとともに記録媒体１０４に記録する。
【００５５】
このように、本実施の形態３によれば、静止画を撮影する時に被写体の音声をシャッタタイミング以前から音声入力部３０１で受けて、音声データに符号化して一時的に記憶し、シャッタタイミングの前後の所定時間の部分を取り出して記録媒体に記録することができ、被写体の発声した音声が途切れることを防止し、より正確にその場の雰囲気又は臨場感などを伝えることができる。また、本実施の形態３によれば、長時間動作する一時記憶用に圧縮率の低い符号化を用いることにより、その符号化処理に要する消費電力を抑えつつ、記録媒体への記録には圧縮率の高い符号化を用いることにより、高能率な記録を行うことができる。
【００５６】
なお、実施の形態１〜３においては、シャッタボタンを半押しして半押しモードにすることにより音声データの入力を開始している。これは、シャッタボタンを半押しモードにする半押しモード設定手段が静止画撮影モードを設定する静止画撮影モード設定手段を構成していることを示している。すなわち、実施の形態１〜３においては、静止画撮影モードに設定することにより音声データの入力を開始している。前記静止画撮影モード設定手段は半押しモード設定手段に限定されるものではない。例えば、前記静止画撮影モード設定手段は、シャッタボタンの半押しモードが無い場合には、電源スイッチで構成して、電源スイッチをＯＮにすることにより静止画撮影モードを設定するようにしてもよい。また、前記静止画撮影モード設定手段は、静止画撮影モード設定ボタンで構成して、前記静止画撮影モード設定ボタンを押すことにより静止画撮影モードを設定するようにしてもよい。
【００５７】
（実施の形態４）
次に、本発明の実施の形態４について、図面を参照して説明する。
【００５８】
図７は、本発明の実施の形態４に係るディジタルカメラの構成を示すブロック図である。本発明の実施の形態４においては、実施の形態１及び実施の形態２と同じ構成要素には同じ参照符号が付されてその説明が省略される。
【００５９】
図７に示すように、ディジタルカメラ７００は、操作部１０１、画像入力部１０２、画像処理部１０３、記録媒体１０４、表示部１０５、記録制御部１０８、音声入力部３０１、音声処理部３０２、音声出力部３０４、制御部３０５及び一時記憶部７０１を備えている。一時記憶部７０１は、音声データが所定量を超えると音声データの古い部分から順次に消去しつつ新しい音声データを記憶するように構成されている。
【００６０】
次に、本発明の実施の形態４に係るディジタルカメラ７００の音声記録の動作について、図７とともに図８を参照して説明する。図８は実施の形態４に係るディジタルカメラの動作を説明するためのフロー図である。
【００６１】
ステップＳＴ８０１からステップＳＴ８０３については、実施の形態２のステップＳＴ４０１からステップＳＴ４０３と同様であるので説明を省略する。ステップＳＴ８０４において、一時記憶部７０１が音声データの所定量を超えるか否かを判断し、超える場合にはステップＳＴ８０５に進む。ステップＳＴ８０５において、一時記憶部７０１が音声データの古い部分から順次に消去し、ステップＳＴ８０３に戻って新しい音声データを一時的に記憶する。以降、ステップＳＴ８０６からステップＳＴ８０８については、実施の形態２のステップＳＴ４０４からステップＳＴ４０６と同様であるので説明を省略する。
【００６２】
本発明の実施の形態４は、前述のように実施の形態２に適用したが、実施の形態１、３に適用することができる。
【００６３】
このように、本実施の形態４によれば、本実施の形態１〜３のいずれかの効果に加えて、音声データを一時的に記憶する時に、記憶する音声データが一時記憶部の所定量を超える場合でも古い部分から順次に消去して最新のデータを記憶するため、必要とするシャッタタイミングの前後の所定時間の部分を逃すことなく記録媒体に記録することができる。
【００６４】
なお、本発明は、実施の形態１〜４で説明したディジタルカメラを具備する携帯電話機または携帯端末機を含むものである。
【００６５】
【発明の効果】
以上説明したように、本発明によれば、静止画を撮影する時にシャッタタイミング以前からの音声データを一時的に記憶し、記憶した前記音声データの中からシャッタタイミングの前後の所定時間の部分を取り出して記録媒体に記録するため、被写体の発声した音声の一部分が途切れることを防止し、その場の雰囲気や臨場感を伝えることができる。
【００６６】
また、本発明によれば、長時間動作する一時的な記憶のための音声符号化には圧縮率の低い符号化方式を用いることによりその符号化処理に要する消費電力を抑え、記録媒体に記録するための音声符号化には圧縮率の高い符号化方式を用いることにより長時間の記録を行うため、消費電力を抑えつつ高能率な記録を行うことができる。
【図面の簡単な説明】
【図１】本発明の実施の形態１に係るディジタルカメラの構成を示すブロック図
【図２】実施の形態１に係るディジタルカメラの動作を説明するためのフロー図
【図３】本発明の実施の形態２に係るディジタルカメラの構成を示すブロック図
【図４】実施の形態２に係るディジタルカメラの動作を説明するためのフロー図
【図５】本発明の実施の形態３に係るディジタルカメラの構成を示すブロック図
【図６】実施の形態３に係るディジタルカメラの動作を説明するためのフロー図
【図７】本発明の実施の形態４に係るディジタルカメラの構成を示すブロック図
【図８】実施の形態４に係るディジタルカメラの動作を説明するためのフロー図
【図９】従来のディジタルカメラの構成を示すブロック図
【符号の説明】
１００、３００、５００、７００  ディジタルカメラ
１０１  操作部
１０２  画像入力部
１０３  画像処理部
１０４  記録媒体
１０５  表示部
１０６、３０５、５０３  制御部
１０７、３０３、７０１  一時記憶部
１０８、５０２  記録制御部
１０９  電源スイッチ
１１０  シャッタボタン
１１１  モード設定ボタン
３０１  音声入力部
３０２、５０１  音声処理部
３０４  音声出力部
５０１１  低圧縮率符号化部
５０１２  復号化部
５０１３  高圧縮率符号化部
１０  ディジタルカメラ
１１  レンズ
１２  ＣＣＤ
１３  駆動系
１４  Ａ／Ｄ変換器
１５  帯域圧縮回路
１６  マイクロフォン
１７  Ａ／Ｄ変換器
１８  ディジタル音声回路
１９  メモリカードコントロール回路
２０  ＣＰＵ
２１  シャッタ
２２  メモリカード
【図１】
2004328126.tif 000003
【図２】
2004328126.tif 000004
【図３】
2004328126.tif 000005
【図４】
2004328126.tif 000006
【図５】
2004328126.tif 000007
【図６】
2004328126.tif 000008
【図７】
2004328126.tif 000009
【図８】
2004328126.tif 000010
【図９】
2004328126.tif 000011